【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】  活動的な音声の期間を有する入力信号（１００）を符号化し、かつ復号化するために音声を符号化する（５００）方法であって、
高周波数成分と低周波数成分とを有する合成された音声信号（１１０）を送信するために、
符号化と音声合成化の過程で、前記入力信号が高周波数帯域と低周波数帯域とに分割され、
該低周波数帯域の音声の特徴であるパラメータ（１０４）が、前記合成された音声の処理された模擬信号（１５２）、さらには高周波数成分（１６０）を送信するために模擬信号（１５０）を処理するために使用され、
前記方法が、
能動的な音声期間中に第1の規格化係数（１１４、１４４）によって前記処理された人工信号を規格化する工程（５３０）と、
非能動的な音声期間中に第1の規格化係数（１１４および１１５、１４４および１４５）により前記処理された人工信号を規格化する工程（５４０）
とを含み、
前記第1の規格化係数（１１４、１４４）が入力信号の高周波数帯域の特徴であり、
前記第2の基準化係数が入力信号の低周波数帯域の特徴である
方法。
【請求項２】  前記処理された人工信号（１５２）が、合成された音声の高周波数成分の特徴である周波数範囲でフィルターをかけられた信号（１５４）を送信するために、ハイパスフィルターをかけてなる請求項１記載の方法。
【請求項３】  前記周波数範囲が、６．４〜８．０ｋＨｚの範囲である請求項２記載の方法。
【請求項４】  前記入力信号（１００）が、合成された音声の高周波数成分に特有の周波数範囲でフィルターをかけた信号（１１２）を送信するために、ハイパスフィルターをかけ、前記第1の規格化係数（１１４、１４４）が評価されてなる請求項１記載の方法。
【請求項５】  前記非活動的な音声期間が、音声残存期間と快適なノイズ期間とを含み、前記音声残存期間中に処理された人工信号（１５２）を計量化するために、第２の規格化係数（１１４および１１５、１４４および１４５）が、フィルターをかけられた信号（１１２）から評価されてなる請求項４記載の方法。
【請求項６】  前記合成された音声の低周波数成分が入力信号（１００）の符号化された低周波数帯域（１０６）から再構成され、音声ハングオーバ期間中に処理された擬似信号（１５２）を規格化するための第２の規格化係数（１１４および１１５、１４４および１４５）が合成された音声の低周波数成分から評価される請求項５記載の方法。
【請求項７】  快適なノイズ期間中に処理された擬似信号（１５２）を規格化するための前記第２の規格化係数（１１４および１１５、１４４および１４５）が、合成された音声の低周波数成分から評価される請求項６記載の方法。
【請求項８】  符号化されたビットストリームを符号化するための受信端末に伝送する工程をさらに含み、当該符号化されたビットストリームが第１の規格化係数（１１４、１４４）を示すデータを含む請求項６記載の方法。
【請求項９】  前記符号化されたビットストリームが、音声ハングオーバ期間中に処理された擬似信号（１５２）を規格化するための第２の規格化信号（１１４、１４４）を示すデータ（１１８）を含む請求項８記載の方法。
【請求項１０】  前記処理された擬似信号を規格化するための第２の規格化係数（１１４および１１５、１４４および１４５）が受信端末（３４）に送信される請求項８記載の方法。
【請求項１１】  前記合成された音声の低周波数成分から決定された傾斜係数を示す請求項６記載の方法。
【請求項１２】  前記快適なノイズ期間中に処理された擬似信号を規格化するための第２の規格化係数（１１４および１４４、１１５および１４５）が、合成された音声の低周波数成分から決定されるスペクトル傾斜係数を示す請求項７記載の方法。
【請求項１３】  前記第１の規格化係数（１１４、１４４）が、処理された擬似信号（１５２）からさらに評価される請求項４記載の方法。
【請求項１４】  活動的な音声期間および非活動的な音声期間を監視するために入力信号（１００）に基づいて活動的な音声情報を送信する工程をさらに含んでなる請求項１記載の方法。
【請求項１５】  前記音声パラメータが、入力信号の低周波数帯域の特徴である線形予測コード係数を含む請求項１記載の方法。
【請求項１６】  能動的な音声期間と非活動的な音声期間とを有する入力信号（１００）を符号化し、かつ復号化するための音声信号の送信および受信システムであって、
高周波数成分と低周波数成分とを有する合成された音声信号（１１０）を送信するために、
前記入力信号が、符号化および音声合成処理により高周波数帯域と低周波数帯域とに分割され、
前記入力信号の低周波数帯域の特徴である音声パラメータ（１１８、１０４、１４０、１４５）が、合成された音声の高周波数帯域成分（１６０）を送信するために、受信機（３０）内で擬似信号（１５０）を処理するために使用され、
前記システムが、
前記入力信号に応答して、前記入力信号の高周波数帯域の特徴である第１の基準化係数（１１４、１４４）を送信するための送信機内の第１の手段（１２、１４）と、
前記送信機から符号化されたビットストリームを受信するための受信機内のデコーダ（３４）であって、当該符号化されたビットストリームが第１の規格化係数（１１４、１４４）を示すデータ（１１８）を含む音声パラメータ（１１８、１４５）を含み、
前記音声パラメータに応答して第２の規格化係数を送信するための第２の手段であって、前記処理された人工信号（１５２）を非活動的な音声期間中に該第２の規格化係数によって基準化し、前記処理された擬似信号（１５２）を活動的な音声期間中に前記第１の規格化係数によって規格化するための第２の手段
とを備え、
前記第１の規格化係数が前記入力信号の高周波数帯域の特徴であり、前記第２の規格化係数が前記入力信号の低周波数帯域の特徴である
システム。
【請求項１７】  前記第１の手段が、前記入力信号をハイパスフィルタにかけ、合成された音声の高周波数成分に対応する周波数範囲を有するフィルタにかけられた入力信号を送信するためのフィルタ手段（１１２）を備え、前記第１の基準化係数（１１４、１４４）が当該フィルタにかけられた入力信号から評価される請求項１６記載のシステム。
【請求項１８】  前記周波数範囲が６．４〜８．０ｋＨｚの範囲である請求項１７記載のシステム。
【請求項１９】  合成された信号の高周波数成分に対応する周波数成分に対応する周波数範囲でハイパスフィルタにかけられたランダムノイズを送信し、当該ハイパスフィルタにかけられたランダムノイズに基づいて前記第１の規格化係数（１１４、１４４）を修正するための第３の手段（１６、２４）を備えてなる請求項１７記載のシステム。
【請求項２０】  前記入力信号（１００）に応答して、活動的な音声期間と非活動的な音声期間とを監視するための手段（９８）をさらに備えてなる請求項１６記載のシステム。
【請求項２１】  前記第１の規格化係数（１１４、１４４）に応答して、符号化された第１の規格化係数を送信するための手段であって、送信するための符号化されたビットストリーム中の符号化された第１の規格化係数を示すデータを含んでなる請求項１６記載のシステム。
【請求項２２】  前記第１の規格化係数（１１４、１４４）に応答して、符号化された第１の規格化係数を送信するための手段であって、送信するための符号化されたビットストリーム中の符号化された第１の規格化係数を示すデータを含んでなる請求項１９記載のシステム。
【請求項２３】  活動的な音声期間と非活動的な音声期間とを有する入力信号（１００）を符号化するための方法であって、当該入力信号が高周波数帯域と低周波数帯域とに分割され、
合成された音声の高周波数成分（１６０）を送信するための擬似信号（１５０）を処理するためにデコーダに音声パラメータを使用できるように、低周波数帯域の特徴である音声パラメータ（１０４）を含む符号化されたビットストリームを送信するために、前記入力信号の低周波数帯域に基づく規格化係数（１１４および１１５、１４４および１４５）が、非活動的な音声期間中に処理された擬似信号（１５２）を規格化するために使用され、
前記エンコーダが、
前記入力信号（１００）に応答して、前記入力信号（１００）をハイパスフィルターにかけ、ハイパスフィルターにかけられた信号（１１２）を合成された音声（１１０）の高周波数成分に対応する周波数範囲で送信し、さらに当該ハイパスフィルターにかけられた信号（１１２）に基づく規格化係数（１１４、１４４）を送信するための手段（１２）と、
前記規格化係数（１１４、１４４）に応答して、前記規格化係数（１１４、１４４）を示す符号化された信号（１１８）を符号化されたビットストリームで送信し、その結果デコーダ（３４）が符号化された信号を受信することができ、前記活動的な音声期間中に処理された擬似信号（１５２）を規格化するために規格化係数（１１４、１４４）を使用してなる
エンコーダ。
【請求項２４】  高周波数成分と低周波数成分とを有する合成された音声（１１０）を送信するために、符号化されたビットストリームをデコーダ（３４、２２０）に送信するように構成された移動局であって、
前記符号化されたビットストリームが入力信号（１００）を示す音声データを含み、該入力信号が活動的な音声期間と非活動的な音声期間とを有し、高周波数帯域と低周波数帯域とに分割され、当該音声データが前記入力信号の低周波数帯域の特徴である音声パラメータ（１０４）を含み、その結果デコーダ（３４）が該音声パラメータに基づいて合成された音声の低周波数成分を送信し、かつ合成された音声の低周波数成分に基づいて、該音声パラメータ（１０４）に基づく擬似信号（１５０）を着色し、規格化係数（１４４および１４５）によって着色された擬似信号（１５４）を規格化することができ、
非活動的な音声期間中に合成された音声の高周波数成分を送信するために、
前記移動局が、
合成された音声の高周波数成分に対応する周波数範囲で入力信号を背パスフィルターにかけ、さらにハイパスフィルターにかけられた信号（１１２）に基づいて規格化係数（１１４、１４４）を送信するためのフィルター（１２）と、
さらに規格化係数（１１４、１４４）に応答して、符号化されたビットストリーム中で規格化係数（１１４、１４４）を示す符号化された信号（１１８）を送信して、その結果デコーダ（１５４）が規格化係数（１１４、１４４）に基づいて活動的な音声期間中に着色された擬似信号（１５４）を規格化することができる量子化モジュール
とを備えてなる移動局。
【請求項２５】  高周波数成分と低周波数成分とを有する合成された音声を送信するために、移動局（３３０）からの入力信号を示す音声データを含む符合化されたビットストリームを受信するように構成された電気通信ネットワーク（３００）の素子（３４、３２０）であって、
当該入力信号が活動的な音声期間と非活動的な音声期間とを有し、該入力信号が高周波数帯域と低周波数帯域とに分割され、当該音声データ（１０４、１１８、１４５、１９０）が、当該入力信号の低周波数帯域の特徴である音声パラメータと、当該入力信号の高周波数帯域の特徴である利得パラメータとを含み、該合成された音声の低周波数成分が音声パラメータ（１０４）に基づいて送信され、
前記素子が、
前記利得パラメータ（１１８）に応答して、第１の規格化係数（１４４）を送信するための第１機構と、
前記音声パラメータに応答して、擬似信号（１５０）を合成し、ハイパスフィルターにかけ、合成され、ハイパスフィルターにかけられた擬似信号（１５４）を送信するための第２機構と、
前記第１の規格化係数（１４４）と音声データ（１４５、１９０）に応答して、入力信号の高周波数帯域の特徴である第１の規格化係数（１４４）と、当該第１の規格化係数（１４４）に基づく第２の規格化係数（１４４および１４５）および合成された音声の低周波数成分の特徴である音声パラメータ（１４５）とを含む組合せ規格化係数（１４６）を送信するための第３機構と、
前記合成され、ハイパスフィルターにかけられた擬似信号（１５４）と組合せ規格化係数とに応答して、活動的な音声期間中と非活動的な音声期間中に、合成され、ハイパスフィルターにかけられた擬似信号（１５４）を、それぞれ第１の規格化係数（１４４）と第２の規格化係数（１４４および１４５）とによって規格化するための第４機構
とを備えてなる素子。
【請求項２６】  活動的な音声期間と非活動的な音声期間とを有する入力信号を示す符号化されたビットストリームを復号するためのデコーダであって、
合成された音声信号を送信するために、当該合成された音声信号が高周波数成分と低周波数成分とを有し、該高周波数成分が人工信号を使用して合成され、符号化と音声合成化の過程で、前記入力信号が高周波数帯域と低周波数帯域とに分割され、前記符号化されたビットストリームが該入力信号の高周波数帯域の音声の特徴であるパラメータを示す第１のデータおよび該入力信号の低周波数帯域の音声の特徴である第２のデータを含み、前記デコーダが、
処理された人工信号を送信するために、前記第２のデータに基づき前記人工信号を処理する処理手段と、
能動的な音声期間中に、第１のデータに基づき第1の規格化係数によって前記処理された人工信号を規格化し、非能動的な音声期間中に、第２のデータに基づき第２のパラメータデータにより前記処理された人工信号を規格化するための規格化手段とを備えるデコーダ。
【請求項２７】  前記処理された人工信号に応答して、合成された音声信号の高周波数成分の特徴である周波数範囲でハイパスフィルタ信号を送信するためのフィルタ手段をさらに備えてなる請求２６記載のデコーダ。
【請求項２８】  前記合成された音声信号の低周波数成分が入力信号の符号化された低周波数帯域から再構成され、処理された擬似信号を規格化するための第２の規格化係数が合成された音声の低周波数成分から評価される請求項２６記載のデコーダ。